(57)【特許請求の範囲】
【請求項１】
冊子の表の表紙及び裏の表紙の少なくとも一方を外側から被覆する外カバーシートと、この外カバーシートが被覆する表紙の内側を略全面的に被覆する内カバーシートと、この内カバーシートに連続し該内カバーシートに重ね合わせることが可能な重ね合わせシートとを具備してなり、
前記内カバーシートが、ホワイトボード用マーカーで消去可能に記入することができる透明領域を有するものであり、
前記重ね合わせシートが、前記内カバーシートの透明領域に対応する部位にホワイトボード用マーカーで消去可能に記入することができる透明領域を有するものであり、
前記内カバーシート及び前記重ね合わせシートが、１枚のシート素材を折り返して一体に形成された塩化ビニール樹脂製のものであり、
前記重ね合わせシートが１枚である冊子カバー。
【請求項２】
内面が平らな表紙を有する冊子と、この冊子に装着した請求項１記載の冊子カバーとを備えたミニホワイトボード。
【発明の詳細な説明】
【技術分野】
【０００１】
本発明は、帳面や書物等の冊子に装着される冊子カバー、及び冊子に前記冊子カバーを装着して形成したミニホワイトボードに関する。
【背景技術】
【０００２】
従来、例えば、工事現場等、野外での作業を行う際に、黒板やホワイトボード等の表示板にその日の作業内容を記入しておき、作業内容を記入した状態の表示板及び工事現場等の状態を写真撮影して記録しておくことが広く行われている。
【０００３】
ところが、このような態様では、必ず専用の表示板を用意しておく必要があるというわずらわしさがある。
【０００４】
工事現場に限らず他の環境下においても同様な事情があり、何らかの改善が望まれている。なお、専用の表示板の一つとして、携帯に便利なブック型のホワイトボードも開発されているが、表示のための専用品であることに変わりはなく、荷物の点数が増加するという不具合は変わらず存在する（例えば、特許文献１を参照）。
【先行技術文献】
【特許文献】
【０００５】
【特許文献１】特開２０００−３１８３７６号公報
【発明の概要】
【発明が解決しようとする課題】
【０００６】
本発明は以上の点に着目してなされたもので、特別な表示板を用意したり携帯することなく、必要に応じてホワイトボード的な機能を享受することができる冊子カバー、及びその冊子カバーを用いたミニホワイトボードを提供することを目的とする。
【課題を解決するための手段】
【０００７】
以上の課題を解決すべく、本発明に係る冊子カバーは、以下に述べるような構成を有する。すなわち本発明に係る冊子カバーは、冊子の表の表紙及び裏の表紙の少なくとも一方を外側から被覆する外カバーシートと、この外カバーシートが被覆する表紙の内側を略全面的に被覆する内カバーシートと、この内カバーシートに連続し該内カバーシートに重ね合わせることが可能な重ね合わせシートとを具備してなり、前記内カバーシートが、ホワイトボード用マーカーで消去可能に記入することができる透明領域を有するものであり、前記重ね合わせシートが、前記内カバーシートの透明領域に対応する部位にホワイトボード用マーカーで消去可能に記入することができる透明領域を有し、前記重ね合わせシートが、前記内カバーシートの透明領域に対応する部位にホワイトボード用マーカーで消去可能に記入することができる透明領域を有するものであり、前記内カバーシート及び前記重ね合わせシートが、１枚のシート素材を折り返して一体に形成された塩化ビニール樹脂製のものであり、前記重ね合わせシートが１枚であるものである。
【０００８】
ここで、「透明領域」とは、一面側から他面側を透視することが可能な領域を意味し、無色に限らず有色であってもよい。
【０００９】
また、「消去可能」とは、文字通りどのような態様であっても記入したものを消し去って新たに記入することが可能であることを意味しているが、指で簡単に消し去ることができるものももちろん含まれる。
【００１１】
このようなものであれば、格別な専用の表示板を用意することなく、内カバーシートの透明領域をホワイトボードとして利用できる。しかも、内カバーシートと冊子の表紙との間に、定型のフォーム等、消す必要のない表示をしておくことができる。その上、必要に応じて、重ね合わせシートを用いることにより、表示の多層化を図ったり、内カバーシートと重ね合わせシートとの間に用紙等の物品を挟み込むことができる。
【００１２】
また、前記内カバーシート及び前記重ね合わせシートを、１枚のシート素材を折り返して一体に形成しているので、製造の効率化を図ることもできる。
【００１３】
さらに、前記内カバーシート及び前記重ね合わせシートが、塩化ビニール樹脂製のものであるので、好適にホワイトボードとしての機能を発揮させることができる。
【００１４】
内面が平らな表紙を有する冊子に以上説明した冊子カバーを装着すれば、冊子としての機能を損ねることなくミニホワイトボードが得られる。
【発明の効果】
【００１５】
本発明によれば、特別な表示板を用意したり携帯することなく、必要に応じてホワイトボード的な機能を享受することができる。しかも、単なるホワイトボードと比べて、表示の多様化を図ることができる。
【図面の簡単な説明】
【００１６】
【図１】本発明の一実施形態に係る冊子カバーの正面図。
【図２】同実施形態の冊子カバーの他の使用形態を示す正面図。
【図３】同実施形態の全体を示す斜視図。
【図４】同実施形態の他の使用形態を示す斜視図。
【図５】図３におけるＡ−Ａ線断面図。
【図６】同実施形態のさらに他の使用形態を示す斜視図。
【発明を実施するための形態】
【００１７】
本発明の一実施形態を、図面を参照しつつ以下に述べる。
【００１８】
本実施形態は、冊子Ｂに本発明に係る冊子カバーＣを装着した場合のものである。
【００１９】
本実施形態における冊子Ｂは、いわゆる野帳と称されるもので、図３〜図６に示すように、表の表紙Ｂ１と裏の表紙Ｂ２との間に複数枚の中紙Ｂ３を綴じ込んだもので、前記表の表紙Ｂ１と裏の表紙Ｂ２とは背表紙Ｂ４により接続されている。前記表の表紙Ｂ１及び裏の表紙Ｂ２は厚手のもので、内面側が平坦である。
【００２０】
本実施形態の冊子カバーＣは、図１〜図５に示すように、前記冊子Ｂの表の表紙Ｂ１を外側から被覆する表の外カバーシート１と、前記冊子Ｂの裏の表紙Ｂ２を外側から被覆する裏の外カバーシート２と、前記裏の表紙Ｂ２の内側を略全面的に被覆する内カバーシート３と、前記冊子Ｂの表の表紙Ｂ１を前記表の外カバーシート１との間で係止しておくための係止シート４と、前記内カバーシート３の綴じ元側の端縁に連続し、図２及び図４に示すように該内カバーシート３に重ね合わせることが可能な重ね合わせシート５とを備えている。
【００２１】
前記表の外カバーシート１と裏の外カバーシート２とは、図５に示すように、塩化ビニール樹脂製の透明シート素材により一体に連続して形成されたもので、前記両外カバーシート１、２の境界部分で前記冊子Ｂの背表紙Ｂ４を外面側から被覆している。
【００２２】
前記内カバーシート３は、図１〜図５に示すように、塩化ビニール樹脂製の透明シート素材により作られたもので、裏の表紙Ｂ２の内面を略全面的に覆う透明領域３ａと、この透明領域３ａの上縁、外縁及び下縁から延出させた溶着領域３ｂとを備えている。そして前記溶着領域３ｂが前記裏の外カバーシート２の縁部に熱溶着により止着されている。
【００２３】
前記係止シート４は、図５に示すように、塩化ビニール樹脂製の透明シート素材により作られたもので、上縁、外縁及び下縁に溶着領域４ｂを備えている。そして、この溶着領域４ｂが前記表の外カバーシート１の縁部に熱溶着により止着されている。
【００２４】
前記重ね合わせシート５は、図１〜図５に示すように、塩化ビニール樹脂製の透明シート素材により作られたもので、内カバーシート３の内縁３ｃから一体に延びており、図２及び図４に示すように前記内縁３ｃを折り返して前記内カバーシート３に重ね合わせた場合に当該内カバーシート３の透明領域３ａを略全面的に覆うことができる寸法に設定されている。そして、この重ね合わせシート５は、前記前記内カバーシート３の透明領域３ａに対応する部位、換言すれば前記内縁３ｃを折り返した際に前記内カバーシート３に重なり合う部位を、透明領域５ａに設定している。また、この重ね合わせシート５は、図１及び図３に示すような、内カバーシート３には重なり合わず冊子Ｂの中紙Ｂ３に重なり合う第１の状態（Ｐ）と、図２及び図４に示すように、内カバーシート３には重なり合う第２の状態（Ｑ）との間で変化可能である。
【００２５】
このような構成の冊子カバーＣであれば、いわゆるブックカバーと同様の操作により冊子Ｂに装着することができ、この冊子Ｂと冊子カバーＣとでミニホワイトボードが構成される。
【００２６】
この実施形態におけるミニホワイトボードは、工事現場で使用するためのもので、前記内カバーシート３に覆われた裏の表紙Ｂ２の内面に工事記録写真を撮影するためのフォームＰａを印刷した用紙Ｐが添着されている。このフォームＰａは、例えば、図３及び図４に示すように、空欄の工事名記入欄Ｐａ１と、撮影日記入欄Ｐａ２と、工事内容記入欄Ｐａ３と、施工者記入欄Ｐａ４と、立会者記入欄Ｐａ５とを備えている。
【００２７】
工事記録写真を撮影する際には、図３に示すように、重ね合わせシート５を第１の状態（Ｐ）とした上で、内カバーシート３の前記各欄Ｐａ１〜Ｐａ５に対応する部位にホワイトボード用マーカーで必要な事項を記入し、その記入内容が写るよう冊子Ｂを手で持ってカメラのシャッターを切る。
【００２８】
また、内カバーシート３に記載した内容に別の記載事項を追加する際には、図４に示すように、重ね合わせシート５を内カバーシート３に重ね合わせた第２の状態（Ｑ）とした上で、その重ね合わせシート５にホワイトボード用マーカーで必要な事項を記入すればよい。さらに、同図に示すように、内カバーシート３と重ね合わせシート５との間に別の記載内容を表示した用紙ＰＰ等を挟持させることにより、表示内容を充実させることもできる。
【００２９】
撮影後、内カバーシート３や重ね合わせシート５に記入した文字等を指等でこすることにより消去すれば、再度新たな事項を内カバーシート３や重ね合わせシート５の透明領域３ａ、５ａに記入することができる。
【００３０】
そして、本実施形態における冊子Ｂは、使用しないときには図６に示すように閉じた状態にしておくことができ、また、通常の野帳として使用することもできる。
【００３１】
以上に述べたように、本実施形態によれば、格別な専用の表示板を用意することなく、内カバーシート３の透明領域３ａをホワイトボードとして利用できる。しかも、内カバーシート３と冊子Ｂの裏の表紙Ｂ２との間に、定型のフォーム等、消す必要のない表示をしておくことができる。その上、必要に応じて、重ね合わせシート５を用いることにより、表示の多層化を図ることや、内カバーシート３と重ね合わせシート５との間に用紙等の物品を挟み込むことができる。このことにより、単なるホワイトボードと比較して、表示の多様化を図ることができる。換言すれば、より多様な利用の態様に対応することができる。
【００３２】
また、前記内カバーシート３及び前記重ね合わせシート５が、塩化ビニール樹脂により形成されているので、これら内カバーシート３及び重ね合わせシート５にホワイトボード用マーカーで記入した文字等を指等により容易に消すことができるとともに、外気温等による伸縮が少ないので、ホワイトボードとしての機能をより好適に発揮することができる。
【００３３】
そして、本実施形態の冊子カバーＣは、内面が平らな表紙Ｂ１、Ｂ２を有する冊子Ｂに装着しているので、冊子Ｂとしての機能を損ねることなく、ミニホワイトボードとしての機能を発揮することができる。
【００３４】
加えて、重ね合わせシート５を内カバーシート３に重ね合わせた第２の状態（Ｑ）としたときは、これら重ね合わせシート５と内カバーシート３との間に付箋紙等を挟み込んだ状態で保管しておくこともできる。特に、重ね合わせシート５と内カバーシート３との間に付箋紙等を挟み込んだときは、これら重ね合わせシート５及び内カバーシート３が塩化ビニール樹脂により形成されているので、付箋紙を通常の紙に接着させて保管する場合と比較して、付箋紙の接着力を高く保つことができる。
【００３５】
なお、以上説明した実施形態では、工事現場で使用する野帳に本発明の冊子カバーを装着して工事記録写真撮影用のミニホワイトボードとして使用する場合について説明したが、本発明はこのようなものに限定されないのはもちろんである。例えば、冊子は野帳に限らず、職場や学校等で使用するノートや手帳、あるいは書物などであってもよい。
【００３６】
また、前記実施形態では冊子カバーが冊子の表裏両表紙に装着されるものについて説明したが、片方の表紙のみに装着される袋状のものであってもよい。あるいは、裏の表紙と表の表紙の内面を被覆する内カバーシートをそれぞれ備えたものであってもよい。
【００３８】
その上、前記実施形態では、重ね合わせシートが内カバーシートの内縁から一体に延びており、内カバーシートの内縁で折り返すことにより内カバーシートと重なり合うようにしているが、内カバーシートと別体をなしておりシールや接着剤等の接着手段によりその一端縁を内カバーシートの一端縁に接着したものや、内カバーシートの一端縁に溶着等の方法により接着したものであってもよい。
【００３９】
加えて、前記実施形態では、外カバーシートは、塩化ビニール樹脂製の透明シート素材により構成されているが、他の素材により構成したものであってもよく、一部又は全部が透明でないものであってもよい。
【００４０】
そして、前記実施形態では、内カバーシート及び重ね合わせシートは、全体が塩化ビニール樹脂製の透明シート素材により構成されているが、他の素材により構成したものであってもよく、一面側から他面側を透視することが不可能な領域が一部に存在してもよい。
【００４１】
その他、本発明の趣旨を損ねない範囲で種々に変更してよい。
【符号の説明】
【００４２】
Ｃ…冊子カバー
１、２…外カバーシート
３…内カバーシート
３ａ…透明領域
５…重ね合わせシート
５ａ…透明領域
【図１】
0006385169.tif 000002
【図２】
0006385169.tif 000003
【図３】
0006385169.tif 000004
【図４】
0006385169.tif 000005
【図５】
0006385169.tif 000006
【図６】
0006385169.tif 000007